(57)【特許請求の範囲】
【請求項１】
熱風炉のチェッカー煉瓦を受ける格子金物と炉底面との間に設置されるチェッカー煉瓦受け金物用の追加柱であって、
前記格子金物と前記炉底面との間に設置されている既存柱の外側に同軸状に設置される柱本体と、
前記柱本体の高さを調整可能な高さ調整機構と、を有し、
前記柱本体は、高さ方向に積み上げられる複数の柱筒体を有することを特徴とするチェッカー煉瓦受け金物用の追加柱。
【請求項２】
請求項１に記載したチェッカー煉瓦受け金物用の追加柱において、
前記柱筒体は、それぞれ周方向に分割された複数の柱部材を有することを特徴とするチェッカー煉瓦受け金物用の追加柱。
【請求項３】
請求項１または請求項２に記載したチェッカー煉瓦受け金物用の追加柱において、
前記柱筒体は円筒状であり、前記柱部材は円筒面を２分割した半円筒状を有することを特徴とするチェッカー煉瓦受け金物用の追加柱。
【請求項４】
請求項１から請求項３のいずれか一項に記載したチェッカー煉瓦受け金物用の追加柱において、
前記柱本体と前記既存柱との間に、断熱材が設置されていることを特徴とするチェッカー煉瓦受け金物用の追加柱。
【請求項５】
請求項１から請求項４のいずれか一項に記載したチェッカー煉瓦受け金物用の追加柱において、
前記高さ調整機構は、前記柱本体の外側から前記柱本体の中心軸線に向けて打ち込まれる楔金物を有することを特徴とするチェッカー煉瓦受け金物用の追加柱。
【請求項６】
請求項５に記載したチェッカー煉瓦受け金物用の追加柱において、
前記高さ調整機構は、前記炉底面に立設されて前記柱本体に当接可能なジャッキボルトと、前記柱本体と前記炉底面との間に打ち込まれる楔金物と、を有することを特徴とするチェッカー煉瓦受け金物用の追加柱。
【請求項７】
熱風炉のチェッカー煉瓦を受ける格子金物と、前記格子金物と炉底面との間に設置される既存柱と、を有するチェッカー煉瓦受け金物であって、
前記既存柱の外側に同軸状に設置される同軸追加柱を有し、
前記同軸追加柱は、
前記既存柱の外側に同軸状に設置される柱本体と、
前記柱本体の高さを調整可能な高さ調整機構と、を有し、
前記柱本体は、高さ方向に積み上げられる複数の柱筒体を有することを特徴とするチェッカー煉瓦受け金物。
【請求項８】
請求項７のチェッカー煉瓦受け金物において、
前記同軸追加柱は複数設置され、複数の前記同軸追加柱の中間位置には、前記同軸追加柱から離れた位置で前記格子金物と前記炉底面との間に独立追加柱が設置されていることを特徴とするチェッカー煉瓦受け金物。
【請求項９】
熱風炉のチェッカー煉瓦を受ける格子金物と、前記格子金物と炉底面との間に設置される既存柱と、を有するチェッカー煉瓦受け金物に、追加柱を増設するチェッカー煉瓦受け金物の柱増設方法であって、
前記既存柱の周囲に複数の柱部材を配置して柱筒体を形成し、複数の前記柱筒体を高さ方向に積み上げて柱本体を形成し、前記柱本体の高さを高さ調整機構で調整し
、前記既存柱の外側に前記柱本体および高さ調整機構で構成される同軸追加柱を同軸状に設置することを特徴とするチェッカー煉瓦受け金物の柱増設方法。
【請求項１０】
請求項９のチェッカー煉瓦受け金物の柱増設方法において、
前記熱風炉の稼働時に、前記同軸追加柱を前記既存柱よりも大きく熱膨張させ、前記同軸追加柱による前記格子金物の荷重負担を前記既存柱よりも大きくすることを特徴とするチェッカー煉瓦受け金物の柱増設方法。
【発明の詳細な説明】
【技術分野】
【０００１】
本発明は、熱風炉の蓄熱室内のチェッカー煉瓦を支えるチェッカー煉瓦受け金物用の追加柱、チェッカー煉瓦受け金物および柱増設方法に関する。
【背景技術】
【０００２】
従来、製銑用の高炉に熱風を供給するための設備として、熱風炉が用いられている。
熱風炉は、高炉１基につき複数（３〜５基）が設置され、このうちのいずれかの熱風炉にて蓄熱を行うとともに、他の熱風炉にて高炉への熱風供給を行うことで、高炉に絶え間なく熱風を供給できるようになっている。
熱風炉は、燃焼室と蓄熱室とを備え、蓄熱室内には、蓄熱用のチェッカー煉瓦が積層される。熱風炉の底面には、チェッカー煉瓦を支持するためのチェッカー煉瓦受け金物が設置され、熱風炉の下部側面には、チェッカー煉瓦受け金物よりも下の空間に連通するようにダクトが接続される。
【０００３】
チェッカー煉瓦受け金物の一例として、熱風炉の底面に支柱（サポートスタンド）を立て、この支柱で水平梁（グレートガーダー）を支持し、この水平梁の上面側に格子金物を張って形成されるものが知られている（特許文献１参照）。チェッカー煉瓦は、格子金物の上面側で受けられる。格子金物には、チェッカー煉瓦の貫通孔と同様の開孔が設けられる。格子金物の下面と熱風炉の底面との間には、通気空間が形成される。通気空間は、前述したダクトに連通される。これにより、チェッカー煉瓦、格子金物、通気空間およびダクトに通気可能に構成される。
【０００４】
熱風炉に蓄熱する際、チェッカー煉瓦を加熱した熱風は、最下段のチェッカー煉瓦の貫通孔から下向きに噴出し、通気空間で集合したのち、ダクトから外部へと排出される。
高炉に熱風を供給する際、ダクトから外気が通気空間に導入され、ここからチェッカー煉瓦の各貫通孔へと分配され、チェッカー煉瓦を通る間に加熱され、熱風として高炉へ送り出される。
【０００５】
ところで、熱風炉から熱風が供給される高炉においては、鉄鉱石の還元材および溶融のための熱源としてコークスが必要となる。熱風炉からの熱風温度を高温化することでコークス消費量を削減することが可能であり、ランニングコストの削減につながるため、熱風炉から高炉へ供給される熱風を高温化することが望ましい。
【先行技術文献】
【特許文献】
【０００６】
【特許文献１】特開昭５１−２０００４号公報
【発明の概要】
【発明が解決しようとする課題】
【０００７】
前述したように、熱風炉から高炉へ供給される熱風を、十分な熱量を有する高温の熱風とするためには、熱風炉のチェッカー煉瓦に蓄熱される熱量（蓄熱量）を大きくし、チェッカー煉瓦の温度とくに底面温度を高めることが必要である。
しかし、前述したチェッカー煉瓦受け金物が耐熱温度以上になると、チェッカー煉瓦受け金物が破損し、チェッカー煉瓦が崩落して熱風炉操業が停止するおそれがある。このため、熱風炉炉底部の雰囲気温度を決定する熱風炉排ガス温度の上限値はチェッカー煉瓦受け金物の耐熱温度によって決定される。
【０００８】
従って、高炉に熱風を供給する際、蓄熱時の加熱用の熱風が、チェッカー煉瓦受け金物部分の耐熱温度以下に制約されることとなって、チェッカー煉瓦の蓄熱エネルギーの上限が制限される。結果として、高炉へ供給される熱風をさらに高温とすることができない。
ここで、既設の熱風炉のチェッカー煉瓦受け金物を、より耐熱温度が高いチェッカー煉瓦受け金物に取り替えることによって、チェッカー煉瓦の蓄熱エネルギーの上限を引き上げることが考えられる。
しかし、チェッカー煉瓦受け金物を取り替えるためには、チェッカー煉瓦を含む大規模な取替・改造工事をする必要がある。この工事を行うと、１年以上等の長期の操業停止期間が必要となり高炉生産量が低下することとなる。
【０００９】
別の高温化対応として、格子金物を支える支柱を増設することが考えられる。支柱を増設できれば、チェッカー煉瓦受け金物の強度を向上でき、耐熱温度の向上が図れる。
しかし、既存の支柱の間隔が十分にない場合、後付する支柱を設置することが難しい。すなわち、既存の支柱の間には、後付する支柱の設置スペースだけでなく、作業スペースが必要になるためである。このように、支柱の増設で対応しようとしても、既存の支柱の配置によっては、増設する支柱の数が十分に得られず、前述した高温化およびランニングコスト削減への対応ができないという問題があった。
【００１０】
本発明の目的は、チェッカー煉瓦の蓄熱量を増やして高温化に対応することができ、ランニングコストを削減できるとともに、工期の短縮が図れるチェッカー煉瓦受け金物用の追加柱、チェッカー煉瓦受け金物および柱増設方法を提供することにある。
【課題を解決するための手段】
【００１１】
本発明のチェッカー煉瓦受け金物用の追加柱は、熱風炉のチェッカー煉瓦を受ける格子金物と炉底面との間に設置されるチェッカー煉瓦受け金物用の追加柱であって、前記格子金物と前記炉底面との間に設置されている既存柱の外側に同軸状に設置される柱本体と、前記柱本体の高さを調整可能な高さ調整機構と、を有し、前記柱本体は、高さ方向に積み上げられる複数の柱筒体を有することを特徴とする。
【００１２】
本発明によれば、既存柱の外周を覆うように設置される柱本体により、既存柱と同軸状の追加柱（同軸追加柱）を形成することができる。追加柱が既存柱と同軸状であるとは、内側の既存柱に対して外側に追加柱が二重に設置されることで、追加柱と既存柱とが同じ設置領域を共有している状態をいい、追加柱の中心軸と既存柱の中心軸とが同じ位置で共有される状態に限らない。このため、追加柱と既存柱の干渉が発生しなければ、既存柱に対して追加柱を偏心した状態、つまり各々の中心軸がずれた状態で設置してもよい。
このような同軸追加柱は、既存柱と同じ位置に設置されるため、専用の設置スペースが必要なく、既存柱の間に別途の追加柱（独立追加柱）が設置できない場合、あるいはできても本数に制約がある場合でも、何ら支障なく設置することができる。
また、柱本体を複数の柱筒体の積み重ねで形成することで、各々の柱筒体は柱本体に比べて十分に短尺とすることができ、熱風炉内への搬入や、炉内での作業を、何ら支障なく行うことができる。
柱筒体どうしの連結は、例えば、各柱筒体の開口端部にフランジを形成しておき、このフランジを貫通するボルトにより締め付ける構造や、フランジ面を加工して形成されたインロー構造などが利用できる。
【００１３】
さらに、高さ調整機構を設けたことで、既存柱との間で高さ調整を行うことができ、既存柱で負担されていた格子金物の荷重を確実に代替することができる。
例えば、既存柱の外側に、既存柱より短い状態で同軸追加柱を設置した後、高さ調整機構で同軸追加柱の高さを大きくすれば、同軸追加柱が既存柱よりも長くなった段階で、既存柱で受けられていた格子金物の荷重を、同軸追加柱に載せ替えることができる。このような同軸追加柱により、既存柱に対して、追加柱としての機能を達成することができる。
高さ調整機構としては、例えば外側から楔金物を打ち込むか、ジャッキボルトを用いることで高さを調整する構造が利用できる。高さ調整機構は、柱本体と格子金物との、柱本体の途中、または柱本体と炉底面との間に設置することができる。
【００１４】
本発明のチェッカー煉瓦受け金物用の追加柱において、前記柱筒体は、それぞれ周方向に分割された複数の柱部材を有することが好ましい。
【００１５】
本発明によれば、既存柱の外周の各方向から、周方向に分割された柱部材を沿わせ、各々を周方向に連結することで、既存柱を覆う柱本体を形成することができる。
周方向に分割された柱部材としては、例えば中心角１８０度ずつの２分割（いわゆる最中合わせ）、１２０度ずつの３分割や９０度ずつの４分割などとすることができる。例えば、１８０度のものと９０度のもの２つとを組み合わせる等としてもよい。
柱部材の周方向の連結は、例えば、各柱部材にフランジを形成しておき、このフランジを貫通するボルトにより締め付ける構造などが利用できる。
【００１６】
本発明のチェッカー煉瓦受け金物用の追加柱において、前記柱筒体は円筒状であり、前記柱部材は円筒面を２分割した半円筒状を有することが好ましい。
【００１７】
本発明によれば、柱本体を一般的な円筒状の構造にできるとともに、柱部材がそれぞれ中心角１８０度ずつの２分割となり、最小限の部材で柱本体を形成することができる。ただし、柱形状は四角形、六角形などの多角形形状でも採用可能である。
【００１８】
本発明のチェッカー煉瓦受け金物用の追加柱において、前記柱本体と前記既存柱との間に、断熱材が設置されていることが好ましい。
【００１９】
本発明によれば、断熱材が設置されているため、熱風炉が稼働した際に、外側の柱本体（同軸追加柱）と内側の既存柱との間に温度差を生じさせ、これに伴う熱膨張差を利用して、既存柱から同軸追加柱への荷重載せ替えを行うことができる。
すなわち、外側の同軸追加柱と内側の既存柱との間に断熱材が介在することで、熱風炉の稼働時に外側から伝えられる熱は、外側の同軸追加柱には十分に伝達されるが、内側の既存柱への到達が抑制される。その結果、外側の同軸追加柱は高温となって熱膨張が比較的大きく、内側の既存柱は温度上昇が抑制されて熱膨張が比較的小さくなり、各々の間には熱膨張の差が生じる。同軸追加柱を設置する際に、格子金物の荷重を負担する直前の状態としておけば、既存柱に対する熱膨張差により、熱風炉の稼働に伴って同軸追加柱が伸長し、格子金物を持ち上げる状態となり、これにより前述した既存柱から同軸追加柱への荷重載せ替えを行うことができる。
【００２０】
本発明のチェッカー煉瓦受け金物用の追加柱において、前記高さ調整機構は、前記柱本体の外側から前記柱本体の中心軸線に向けて打ち込まれる楔金物を有することが好ましい。
【００２１】
本発明によれば、十分な荷重強度が得られるとともに、簡素な構造で高さ調整機能を得ることができる。
楔金物としては、鋼製の板材であって、表裏のテーパ角度が０度よりも大きく１０度よりも小さいものが好ましい。楔金物は、同軸追加柱の周囲に複数を均等間隔で配置することができ、例えば４つの楔金物を９０度間隔で配置することができる。
【００２２】
本発明のチェッカー煉瓦受け金物用の追加柱において、前記高さ調整機構は、前記炉底面に立設されて前記柱本体に当接可能なジャッキボルトと、前記柱本体と前記炉底面との間に打ち込まれる楔金物と、を有することが好ましい。
【００２３】
本発明によれば、予めジャッキボルトの上端高さを炉底面から所定高さに調整しておき、このジャッキボルトに柱本体（同軸追加柱）を載置することで、同軸追加柱を基本高さに設定できる。この後、楔金物を打ち込むことで、同軸追加柱を基本高さから設定高さまで上昇させることができる。
つまり、設定高さと炉底面との差が大きい場合でも、基本高さまでの分はジャッキボルトで対応することができ、楔金物で対応する高さは、基本高さと設定高さとの差分だけで済む。このため、楔金物を小型化することができ、打ち込み作業も最小限にすることができる。また、ジャッキボルトによる基本高さの設定は、同軸追加柱を載せる前の無負荷状態で簡単に操作することができ、作業時間を短縮することができる。
【００２４】
本発明のチェッカー煉瓦受け金物は、熱風炉のチェッカー煉瓦を受ける格子金物と、前記格子金物と炉底面との間に設置される既存柱と、を有するチェッカー煉瓦受け金物であって、前記既存柱の外側に同軸状に設置される同軸追加柱を有し、前記同軸追加柱は、
前記既存柱の外側に同軸状に設置される柱本体と、前記柱本体の高さを調整可能な高さ調整機構と、を有し、前記柱本体は、高さ方向に積み上げられる複数の柱筒体を有することを特徴とする。
【００２５】
本発明によれば、前述した本発明のチェッカー煉瓦受け金物用の追加柱で説明した通りの作用効果を得ることができる。
【００２６】
本発明のチェッカー煉瓦受け金物において、前記同軸追加柱は複数設置され、複数の前記同軸追加柱の中間位置には、前記同軸追加柱から離れた位置で前記格子金物と前記炉底面との間に独立追加柱が設置されてもよい。
【００２７】
本発明によれば、同軸追加柱での補強だけでなく、独立追加柱を併用することで、既設格子金物に発生する応力を低減することができ、既設格子金物の使用可能最大温度を向上させることができる。
【００２８】
本発明のチェッカー煉瓦受け金物の柱増設方法は、熱風炉のチェッカー煉瓦を受ける格子金物と、前記格子金物と炉底面との間に設置される既存柱と、を有するチェッカー煉瓦受け金物に、追加柱を増設するチェッカー煉瓦受け金物の柱増設方法であって、前記既存柱の周囲に複数の柱部材を配置して柱筒体を形成し、複数の前記柱筒体を高さ方向に積み上げて柱本体を形成し、前記柱本体の高さを高さ調整機構で調整し、前記既存柱の外側に前記柱本体および高さ調整機構で構成される同軸追加柱を同軸状に設置することを特徴とする。
【００２９】
本発明によれば、前述した本発明のチェッカー煉瓦受け金物用の追加柱で説明した通りの作用効果を得ることができる。
【００３０】
本発明のチェッカー煉瓦受け金物の柱増設方法において、前記熱風炉の稼働時に、前記同軸追加柱を前記既存柱よりも大きく熱膨張させ、前記同軸追加柱による前記格子金物の荷重負担を前記既存柱よりも大きくすることが好ましい。
【００３１】
本発明によれば、前述した本発明のチェッカー煉瓦受け金物用の追加柱における、熱膨張差を利用した既存柱から同軸追加柱への荷重載せ替えを行うことができる。
【発明の効果】
【００３２】
本発明によれば、既存柱と同軸状に配置される同軸追加柱を用いることで、設置スペースに制約を受ける場合でも追加柱を増設することができる。その結果、チェッカー煉瓦の蓄熱量を増やして高温化に対応することができ、ランニングコストを削減できるとともに、工期の短縮が図れるチェッカー煉瓦受け金物用の追加柱、チェッカー煉瓦受け金物および柱増設方法を提供することができる。
【図面の簡単な説明】
【００３３】
【図１】本発明の第１実施形態の熱風炉の構成を示す模式図。
【図２】前記第１実施形態のチェッカー煉瓦受け金物を示す模式図。
【図３】前記第１実施形態の既存柱、同軸追加柱および独立追加柱の平面配置を示す模式図。
【図４】前記第１実施形態の既存柱を示す縦断面図。
【図５】前記第１実施形態の既存柱を示す横断面図。
【図６】前記第１実施形態の同軸追加柱を示す縦断面図。
【図７】前記第１実施形態の同軸追加柱を示す横断面図。
【図８】前記第１実施形態の同軸追加柱の柱筒体を示す分解斜視図。
【図９】前記第１実施形態の同軸追加柱の下端を示す断面図。
【図１０】前記第１実施形態の独立追加柱を示す縦断面図。
【図１１】前記第１実施形態の独立追加柱を示す横断面図。
【図１２】本発明の第２実施形態のチェッカー煉瓦受け金物を示す模式図。
【図１３】前記第２実施形態の既存柱および同軸追加柱の平面配置を示す模式図。
【発明を実施するための形態】
【００３４】
以下、本発明の具体的な実施形態を図面に基づいて説明する。
〔第１実施形態〕
図１において、製銑用の高炉１には、熱風を供給する熱風炉２が接続されている。図１では、熱風炉２を１基だけ示したが、一般に熱風炉２は高炉１基につき複数設置される。
【００３５】
熱風炉２は、燃焼室９と蓄熱室３とを備えている。蓄熱室３の炉底部にはチェッカー煉瓦受け金物１０が設置され、チェッカー煉瓦受け金物１０の上には蓄熱用のチェッカー煉瓦４が積層されている。
チェッカー煉瓦４は、平面視略六角形状であり、上下に貫通する複数の貫通孔が形成されている。チェッカー煉瓦４は、水平方向に格子状に複数配列され、チェッカー煉瓦受け金物１０から熱風炉２の炉頂近くまで積まれている。
【００３６】
チェッカー煉瓦４は、各々の貫通孔が互いに連通され、各貫通孔を通して蓄熱室３の炉底部から炉頂部との間で空気を流通させることができる。
熱風炉２の下部側面にはダクト５が接続され、チェッカー煉瓦受け金物１０の隙間には通気空間６が形成されている。通気空間６を通して、ダクト５はチェッカー煉瓦４の貫通孔に連通されている。
【００３７】
〔チェッカー煉瓦受け金物１０〕
図２に示すように、チェッカー煉瓦受け金物１０は、チェッカー煉瓦４を上面で支持する格子金物２０と、格子金物２０を下面側から支持するガーダー３０と、を有する。さらに、チェッカー煉瓦受け金物１０は、ガーダー３０を支持する複数の既存柱４０および複数の同軸追加柱５０と、格子金物２０を支持する複数の独立追加柱６０と、を備えている。これらの格子金物２０、ガーダー３０、既存柱４０、同軸追加柱５０および独立追加柱６０は、それぞれ鋳鉄製である。ただし、耐熱温度上問題無ければ、耐火物、鋼板、鋳鋼などの別材質でも採用可能である。
【００３８】
格子金物２０は、平板状であり、熱風炉２の内部の炉底部分に水平方向に拡がって設けられている。格子金物２０には、多数の通気孔が上下に貫通形成され、それぞれチェッカー煉瓦４の貫通孔に連通されている。
ガーダー３０は、水平に支持された梁材であり、格子金物２０の下面に沿って複数配置され、格子金物２０を下面側から支持している。
既存柱４０は、ガーダー３０の長手方向に沿って所定間隔を隔てて配置され、上端でガーダー３０を支持している。既存柱４０の下端は、熱風炉２の炉底部に固定され、耐熱コンクリート２２に埋設されている。耐熱コンクリート２２上には、さらに敷煉瓦２３が敷設されている。
【００３９】
同軸追加柱５０は、既存柱４０の外側に、既存柱４０と同軸状に配置され、上端でガーダー３０を支持している。同軸追加柱５０の下端は、耐熱コンクリート２２に固定され、敷煉瓦２３に埋設されている。
独立追加柱６０は、既存柱４０および同軸追加柱５０の間の空間に、周囲と所定間隔を空けて配置され、上端で格子金物２０を支持している。独立追加柱６０の下端は、耐熱コンクリート２２に固定され、敷煉瓦２３に埋設されている。
【００４０】
図３に示すように、熱風炉２の炉底部において、既存柱４０は、ガーダー３０に沿って配置されるため、それぞれ直線的に配列される。同軸追加柱５０は、既存柱４０の各々と同軸状つまり同じ位置に配置されており、炉底部における配置は既存柱４０に準じて直線的な配列となる。
一方、独立追加柱６０は、ガーダー３０と関係なく配置される。独立追加柱６０の配置にあたっては、周囲との間隔確保のため、既存柱４０の中間位置などとされる。このため、独立追加柱６０も大部分が直線的に配列される。ただし、熱風炉２の外周付近では、必ずしも直線的な配列とはならない。
以下、既存柱４０、同軸追加柱５０および独立追加柱６０の詳細について説明する。
【００４１】
〔既存柱４０〕
既存柱４０は、熱風炉２の築炉時に設置されるものであり、図４および図５に示すように、全長にわたって連続した円管状の鋼材で形成される。
図４において、既存柱４０は、下端が熱風炉２の炉底部の耐熱コンクリート２２に埋設されている。下端を耐熱コンクリート２２に埋設される前に、既存柱４０はその固定高さを調整される。
【００４２】
既存柱４０の下端には、下端プレート４１が固定されている。熱風炉２の炉底部には熱風炉炉底鉄皮２２１が設置されている。下端プレート４１と熱風炉炉底鉄皮２２１との間には、楔金物４２が設置されている。この楔金物４２の打ち込み位置に応じて、既存柱４０の高さを調整することができる。このような高さ調整を行った後に、コンクリートを打設することで、既存柱４０は所定高さに設置され、かつ下端が耐熱コンクリート２２に埋設される。
【００４３】
既存柱４０の設置手順は、次のようになる。
先ず、熱風炉炉底鉄皮２２１上に楔金物４２を設置し、その上に下端プレート４１を載せ、既存柱４０を垂直に保持する。
次に、楔金物４２を既存柱４０の外周から打ち込み、既存柱４０の上端高さが所定の高さとなるように調整する。
既存柱４０の高さが所定高さとなったら、下端プレート４１および楔金物４２を包むようにコンクリートを打設し、耐熱コンクリート２２を形成する。これにより、既存柱４０の下端が炉底部に固定される。
既存柱４０が炉底部に固定されたら、既存柱４０の周囲の耐熱コンクリート２２の表面に敷煉瓦２３を敷く。さらに、既存柱４０の上端に、ガーダー３０および格子金物２０を支持させる。
【００４４】
以上により、ガーダー３０を介して格子金物２０を支持する既存柱４０が形成される。
熱風炉２は、これらの既存柱４０のみでガーダー３０および格子金物２０を支持した状態で稼働可能である。ただし、チェッカー煉瓦４の蓄熱量を増やして高温化する目的などで、追加柱が設置される。
本実施形態では、追加柱として、同軸追加柱５０および独立追加柱６０を設置する。
【００４５】
〔同軸追加柱５０〕
同軸追加柱５０は、熱風炉２に追加で設置されるものであり、図６に示すように、既存柱４０の外側に同軸状に設置される鋼製の柱本体５１と、柱本体５１の高さを調整可能な高さ調整機構５９とを備えている。そして、柱本体５１は、高さ方向に積み上げられる複数の柱筒体５２を有する。
【００４６】
図７および図８に示すように、柱筒体５２は、中心角１８０度の半円筒状の柱部材５３を一対にして構成される。柱部材５３どうしを結合するために、柱部材５３にはフランジ５３１が形成され、このフランジ５３１どうしをボルト５３２で締め付け固定される。
一対の柱部材５３を組み合わせる際に、その間に既存柱４０を挟み込むことで、柱筒体５２は既存柱４０の外側に同軸状に設置される。
【００４７】
柱部材５３と既存柱４０との間には、断熱材５４が設置される。
断熱材５４は、予め柱部材５３の内面に張っておいてもよく、既存柱４０の外面に巻き付けておいてもよい。また、柱部材５３設置後にできる既存柱４０との隙間に詰め込んでもよい。断熱材５４は、シート状あるいはマット状のもののほか、吹付けて形成されるものであってもよい。
同軸追加柱５０と既存柱４０の間に膨張差が発生するだけの十分な温度差が生まれるのであれば、断熱材５４を使用せずに、同軸追加柱の５０の厚みを大きくするか、あるいは同軸追加柱５０と既存柱４０との隙間間隔を大きくするなど、他の方法を用いてもよい。
【００４８】
柱筒体５２は、各々の上下端縁に沿った円弧状のフランジ５２１どうしをボルト５２２で締め付け固定されることで、相互に連結され、柱本体５１とされる。
柱本体５１の最上段の柱筒体５２には、上端部材５８が接続される。この上端部材５８を介して、柱本体５１はガーダー３０に接続される。
【００４９】
図６において、同軸追加柱５０を設置する際には、既存柱４０の周囲の敷煉瓦２３が一部撤去されて耐熱コンクリート２２が露出される。そして、柱本体５１の最下段の柱筒体５２と耐熱コンクリート２２との間には、高さ調整機構５９が形成される。
図９に示すように、耐熱コンクリート２２の表面にはベースプレート２２２が敷かれている。ベースプレート２２２には、楔金物５９１、ジャッキボルト５９２，固定ボルト５９３が設置されている。
【００５０】
楔金物５９１は、テーパ角度が０度よりも大きく１０度よりも小さい鋼片であり、外側からの打ち込みにより高さを調整可能かつ大荷重を負担可能である。
ジャッキボルト５９２は、ベースプレート２２２に固定されたナットに螺合され、回転させることで頭部の高さを調整可能である。この高さ調整により、最下段の柱筒体５２の高さ位置が調整でき、これにより同軸追加柱５０の高さ位置を決めることができる。
固定ボルト５９３は、下部を耐熱コンクリート２２に埋設固定されており、ベースプレート２２２のボルト孔および最下段の柱筒体５２のフランジ５２１のボルト孔を挿通したうえで、ナットを螺合させて締め付けることで、柱筒体５２を耐熱コンクリート２２に固定可能である。
【００５１】
同軸追加柱５０の設置手順は、次のようになる。
先ず、同軸追加柱５０を設置する既存柱４０の周囲で、敷煉瓦２３を一部撤去して耐熱コンクリート２２を露出させる（図６参照）。
そして、露出された耐熱コンクリート２２の表面にベースプレート２２２を敷き（図９参照）、ベースプレート２２２に楔金物５９１、ジャッキボルト５９２，固定ボルト５９３を設置しておく。
【００５２】
次に、ジャッキボルト５９２の上で、柱本体５１を組み立ててゆく。
先ず、柱本体５１の最上段となるべき上端部材５８（図６参照）をジャッキボルト５９２の上に搬入し、クレーンで吊り上げ、上端部材５８の下方に柱筒体５２の一段分のスペースを確保する。
そして、上端部材５８の下方で、既存柱４０を間に挟んで一対の柱部材５３（図８参照）を組み合わせて、２段目の柱筒体５２を形成する。この際、既存柱４０と各柱部材５３との間には断熱材５４（図７参照）を挟み込んでおく。柱筒体５２ができたら、クレーンを再度上昇させて新たな柱筒体５２のスペースを確保する。
このような柱筒体５２の組立ておよい吊り上げの繰り返しにより、所定数の柱筒体５２を連結することで、柱本体５１が形成される。
【００５３】
柱本体５１が形成されたら、ジャッキボルト５９２を所定の高さに調整したうえで、柱本体５１を吊り上げているクレーンを下げ、最下段の柱筒体５２をジャッキボルト５９２で支持し、固定ボルト５９３で固定する。このとき、楔金物５９１は柱筒体５２のフランジ５２１に接触する程度としておく。
【００５４】
柱本体５１が組み上がった状態で、上端部材５８の上面とガーダー３０の下面との間には僅かな隙間が形成される。そして、格子金物２０およびガーダー３０の荷重は、専ら既存柱４０で負担されており、同軸追加柱５０には負担されていない。
前述した上端部材５８の上面とガーダー３０の下面との間の隙間は、設計段階で、高さ調整機構５９の調整代つまり楔金物５９１による調整可能範囲より小さな寸法となるように設定されている。
そして、高さ調整機構５９による柱本体５１の高さ調整により、格子金物２０およびガーダー３０の荷重は同軸追加柱５０にも負担される状態に移行する。
【００５５】
すなわち、楔金物５９１を同軸追加柱５０の外側から打ち込むことで、柱本体５１が上方へ持ち上げられ、上端部材５８の上面とガーダー３０の下面との間の隙間が減少し、やがて隙間がなくなって上端部材５８の上面とガーダー３０の下面とが接触し、更に打ち込むことで、柱本体５１でガーダー３０が支持された状態となる。
この状態で、既存柱４０によるガーダー３０の荷重負担はまだ残されていてもよい。既存柱４０の荷重負担は、熱風炉２の稼働再開により加熱されることで、同軸追加柱５０との熱膨張の差によって、さらに軽減ないし解除されることになる。
【００５６】
〔独立追加柱６０〕
独立追加柱６０は、熱風炉２の既存柱４０どうしの間のガーダー３０がない部位に追加で設置されるものであり、図１０に示すように、鋼製の柱本体６１と、柱本体６１の高さを調整可能な高さ調整機構６９と備えている。そして、柱本体６１は、高さ方向に積み上げられる複数の柱筒体６２を有する。
【００５７】
図１０および図１１に示すように、柱筒体６２は、円筒状の部材であり、上下の開口周縁にフランジ６２１を有する。
柱筒体６２は、各々のフランジ６２１どうしをボルト６２２で締め付け固定されることで、相互に連結され、柱本体６１とされる。
柱本体６１の最上段の柱筒体６２には、上端部材６８が接続される。この上端部材６８を介して、柱本体６１は格子金物２０に直接接続される。
【００５８】
図１０において、独立追加柱６０を設置する際には、設置位置の敷煉瓦２３が一部撤去されて耐熱コンクリート２２が露出される。そして、柱本体６１の最下段の柱筒体６２と耐熱コンクリート２２との間には、楔金物６９１を用いた高さ調整機構６９が形成される。
高さ調整機構６９は、前述した同軸追加柱５０の高さ調整機構５９（図９参照）と同様に、上端部材６８および複数の柱筒体６２を一段ずつ配置してはクレーンで吊り上げる操作を繰り返すことで、一連の柱本体６１として組立てられるものであり、ここでは重複する説明は省略する。
【００５９】
以上の作業により、柱筒体６２および上端部材６８で柱本体６１が組み上がった状態とされる。柱本体６１が組み上がった状態で、上端部材５８の上面と格子金物２０の下面との間には僅かな隙間が形成される。この隙間は、設計段階で、高さ調整機構６９の調整代つまり楔金物６９１による調整可能範囲より小さな寸法となるように設定されている。
そこで、楔金物６９１を独立追加柱６０の外側から打ち込むことで、柱本体６１が上方へ持ち上げられ、上端部材６８の上面と格子金物２０の下面との間の隙間が減少し、やがて隙間がなくなって上端部材６８の上面と格子金物２０の下面とが接触し、更に打ち込むことで、柱本体６１で格子金物２０が支持された状態となる。
【００６０】
〔追加柱の増設手順〕
本実施形態において、熱風炉２の築炉時の既存柱４０の設置手順、および、追加柱増設時の同軸追加柱５０および独立追加柱６０の設置手順は、各々既に述べた通りである。
ここで、追加柱増設時の全体的な作業手順について説明する。
【００６１】
熱風炉２への追加柱増設は高炉休風期間などに行われ、増設を行う際には、先ず熱風炉２の稼働を停止し、炉内温度を作業可能な温度となるまで冷却する。
次に、マンホール８（図２および図３参照）から作業員が炉内に入り、同軸追加柱５０および独立追加柱６０の設置部位において、炉底面２１から敷煉瓦２３を掘り下げて耐熱コンクリート２２を露出させる。敷煉瓦２３の廃材はマンホール８から搬出する。
続いて、マンホール８から同軸追加柱５０および独立追加柱６０の資材、つまり柱部材５３や柱筒体６２および高さ調整機構５９，６９の構成部材を搬入し、組立てる。
各部において、同軸追加柱５０および独立追加柱６０の柱本体５１，６１が組み上がったら、高さ調整機構５９，６９を操作してガーダー３０および格子金物２０の荷重負担を開始する。
【００６２】
ここで、炉内作業を終了し、作業員が退去したのち、熱風炉２の稼働を再開する。稼働に伴う炉内の熱により、既存柱４０、同軸追加柱５０および独立追加柱６０は熱膨張する。ただし、既存柱４０は断熱材５４で包囲されて昇温が比較的小さいため熱膨張量が小さい。これに対し、同軸追加柱５０および独立追加柱６０は熱膨張量が大きく、ガーダー３０および格子金物２０の荷重負担が更に増大する。その結果、既存柱４０による荷重負担は軽減ないし解除されることになる。この状況は、設計ないし施工時の隙間調整により選択することができる。
【００６３】
〔第１実施形態の効果〕
【００６４】
本実施形態によれば、既存柱４０の外周を覆うように設置される柱本体５１により、既存柱４０と同軸状の同軸追加柱５０を形成することができる。
同軸追加柱５０は、既存柱４０と同じ位置に設置されるため、専用の設置スペースが必要なく、既存柱４０の間に別途の追加柱（独立追加柱６０）が設置できない場合、あるいはできても本数に制約がある場合でも、何ら支障なく設置することができる。
また、柱本体５１を複数の柱筒体５２の積み重ねで形成することで、各々の柱筒体５２は柱本体５１に比べて十分に短尺とすることができ、熱風炉２内への搬入や、炉内での作業を、何ら支障なく行うことができる。
【００６５】
さらに、高さ調整機構５９を設けたことで、既存柱４０との間で高さ調整を行うことができ、既存柱４０で負担されていた格子金物２０およびガーダー３０の荷重を確実に代替することができる。
例えば、既存柱４０の外側に、既存柱４０より短い状態（相対的に高さが小さい状態）で同軸追加柱５０を設置した後、高さ調整機構５９で同軸追加柱５０の高さを大きくすれば、同軸追加柱５０が既存柱４０よりも長くなった段階で、既存柱４０で受けられていた格子金物２０の荷重を、同軸追加柱５０に載せ替えることができる。このような同軸追加柱５０により、既存柱４０に対して、追加柱としての機能を達成することができる。
【００６６】
本実施形態では、柱筒体５２を、それぞれ周方向に分割された複数の柱部材５３で構成した。このため、既存柱４０の外周の各方向から、周方向に分割された柱部材５３を沿わせ、各々を周方向に連結することで、既存柱４０を覆う柱筒体５２ないし柱本体５１を形成することができる。
【００６７】
とくに、本実施形態では、柱筒体５２は円筒状であり、柱部材５３は円筒面を２分割した半円筒状を有するものとした。このため、柱本体５１を一般的な円筒状の構造にできるとともに、柱部材５３がそれぞれ中心角１８０度ずつの２分割となり、最小限の部材で柱本体５１を形成することができる。
【００６８】
本実施形態では、既存柱４０と同軸追加柱５０との間に断熱材５４を設置した。このため、熱風炉２が稼働した際に、外側の同軸追加柱５０と内側の既存柱４０との間に温度差を生じさせ、これに伴う熱膨張差を利用して、既存柱４０から同軸追加柱５０への荷重載せ替えを行うことができる。
【００６９】
本実施形態では、高さ調整機構５９は、柱本体５１の外側から柱本体５１の中心軸線に向けて打ち込まれる楔金物５９１を有するものとした。このような楔金物５９１を用いることで、同軸追加柱５０において十分な荷重強度が得られるとともに、簡素な構造で高さ調整機能を得ることができる。
【００７０】
本実施形態において、高さ調整機構５９は、前述した楔金物５９１とともに、炉底面のベースプレート２２２に立設されて柱本体５１に当接可能なジャッキボルト５９２を用いるとした。このため、予めジャッキボルト５９２の上端高さを炉底面２１から所定高さに調整しておき、このジャッキボルト５９２に柱本体５１を載置することで、同軸追加柱５０を基本高さに設定できる。この後、楔金物５９１を打ち込むことで、同軸追加柱５０を基本高さから設定高さまで上昇させることができる。
つまり、設定高さと炉底面との差が大きい場合でも、基本高さまでの分はジャッキボルト５９２で対応することができ、楔金物５９１で対応する高さは、基本高さと設定高さとの差分だけで済む。このため、楔金物５９１を小型化することができ、打ち込み作業も最小限にすることができる。また、ジャッキボルト５９２による基本高さの設定は、同軸追加柱５０を載せる前の無負荷状態で簡単に操作することができ、作業時間を短縮することができる。
【００７１】
〔第２実施形態〕
前述した第１実施形態では、追加柱として同軸追加柱５０および独立追加柱６０を併用した。これに対し、本実施形態では、追加柱として同軸追加柱５０のみが設置され、独立追加柱６０は設置されていない。
【００７２】
図１２および図１３において、熱風炉２の炉底部にはチェッカー煉瓦受け金物１０Ａが設置されている。
チェッカー煉瓦受け金物１０Ａは、前述した第１実施形態のチェッカー煉瓦受け金物１０と同様に、熱風炉２の築炉時には既存柱４０のみでガーダー３０および格子金物２０が支持されていた。
追加柱の増設にあたって、チェッカー煉瓦受け金物１０Ａにおいては、既存柱４０の外側に同軸追加柱５０が設置される。ただし、既存柱４０の間に追加柱（第１実施形態の独立追加柱６０）は設置されていない。
【００７３】
なお、本実施形態において、同軸追加柱５０、既存柱４０、ガーダー３０、格子金物２０の個々の構成は、前述した第１実施形態と同様である。このため、各々についての重複する説明は省略する。
このような本実施形態によっても、同軸追加柱５０による作用効果を得ることができる。そして、第１実施形態のような独立追加柱６０による補強は得られないが、チェッカー煉瓦受け金物１０Ａの追加柱として要求される性能に対して、同軸追加柱５０だけで十分であれば、構造を簡素化し、工期を短縮することができる。
【００７４】
〔他の実施形態〕
本発明は、前述した実施形態に限定されるものではなく、本発明の目的を達成できる範囲での変形などは本発明に含まれる。
例えば、高さ調整機構５９において、ジャッキボルト５９２は省略可能である。ジャッキボルト５９２に代えて、鋼片などをスペーサとして柱筒体５２を支持しておき、その後楔金物５９１を打ち込んで高さを調整してもよい。
【００７５】
高さ調整機構５９は、楔金物５９１を用いる構造に限らない。ただし、大荷重を負担しつつ高さが調整できる構造としては、楔金物５９１あるいは他の耐熱材質による楔部材であることが望ましい。
柱筒体５２として組み立てられる柱部材５３は、円筒を２分割した半円筒状に限らず、３分割以上としてもよい。ただし、部品点数が増加するため、２分割程度であることが望ましい。
柱本体５１は円形断面に限らず、矩形断面などであってもよい。ただし、方向の均等性を考慮すると、円形断面であることが望ましい。
【００７６】
本発明が適用される熱風炉２としては、内燃式、外燃式あるいは炉頂燃焼式であってもよく、チェッカー煉瓦を支持するチェッカー煉瓦受け金物を用いるものであれば、本発明はいずれにも適用することができる。
【００７７】
同軸追加柱５０および独立追加柱６０に用いられる材質は鋳鉄だけに限らず、高温化の温度に耐えられる材質であれば、耐火物や鋼板、鋳鋼などの別材質も採用することができる。
【産業上の利用可能性】
【００７８】
本発明は、熱風炉の蓄熱室内のチェッカー煉瓦を支えるチェッカー煉瓦受け金物用の追加柱、チェッカー煉瓦受け金物および柱増設方法に利用できる。
【符号の説明】
【００７９】
１…高炉、２…熱風炉、３…蓄熱室、４…チェッカー煉瓦、５…ダクト、６…通気空間、８…マンホール、９…燃焼室、１０，１０Ａ…チェッカー煉瓦受け金物、２０…格子金物、２１…炉底面、２２…耐熱コンクリート、２２１…熱風炉炉底鉄皮、２２２…ベースプレート、２３…敷煉瓦、３０…ガーダー、４０…既存柱、４１…下端プレート、４２…楔金物、５０…同軸追加柱、５１…柱本体、５２…柱筒体、５２１，５３１…フランジ、５２２，５３２…ボルト、５３…柱部材、５４…断熱材、５８…上端部材、５９…高さ調整機構、５９１…楔金物、５９２…ジャッキボルト、５９３…固定ボルト、６０…独立追加柱、６１…柱本体、６２…柱筒体、６２１…フランジ、６２２…ボルト、６８…上端部材、６９…高さ調整機構、６９１…楔金物。
【要約】
【課題】チェッカー煉瓦の蓄熱量を増やして高温化に対応することができ、ランニングコストを削減できるとともに、工期の短縮が図れるチェッカー煉瓦受け金物用の追加柱、チェッカー煉瓦受け金物および柱増設方法を提供する。
【解決手段】熱風炉２のチェッカー煉瓦を受ける格子金物２０と、格子金物２０と炉底面２１との間に設置される既存柱４０と、を有するチェッカー煉瓦受け金物１０であって、既存柱４０の外側に同軸状に設置される同軸追加柱５０を有し、同軸追加柱５０は、既存柱４０の外側に同軸状に設置される柱本体５１と、柱本体５１の高さを調整する高さ調整機構５９と、を有し、柱本体５１は、高さ方向に積み上げられる複数の柱筒体５２を有する。
【選択図】図６【図１】
0006013637.tif 000002
【図２】
0006013637.tif 000003
【図３】
0006013637.tif 000004
【図４】
0006013637.tif 000005
【図５】
0006013637.tif 000006
【図６】
0006013637.tif 000007
【図７】
0006013637.tif 000008
【図８】
0006013637.tif 000009
【図９】
0006013637.tif 000010
【図１０】
0006013637.tif 000011
【図１１】
0006013637.tif 000012
【図１２】
0006013637.tif 000013
【図１３】
0006013637.tif 000014